(57)【要約】【課題】収容装置を提供する。【解決手段】チャンバー、前記チャンバー内に設置され、且つ前記チャンバー内に複数の収容スペースを定義する複数のスペーサ、前記チャンバー内に設置され、前記スペーサが解体可能な方式でその上に設置される複数の保定装置、及び前記チャンバー内に設置され、それが前記保定装置上の結合位置で前記スペーサを調整移動することによって、前記収容スペースの大きさを調整するスペーサ移動モジュールを含む収容装置。【選択図】  図１
2009066393.tif 000002
【特許請求の範囲】
【請求項１】
チャンバー、
前記チャンバー内に設置され、且つ前記チャンバー内に複数の収容スペースを定義する複数のスペーサ、
前記チャンバー内に設置され、前記スペーサが解体可能な方式でその上に設置される複数の保定装置、及び
前記チャンバー内に設置され、それが前記保定装置上の結合位置で前記スペーサを調整移動することによって、前記収容スペースの大きさを調整するスペーサ移動モジュールを含む収容装置。
【請求項２】
前記スペーサ移動モジュールは、移動ユニットと保持ユニットを含み、前記保持ユニットは、前記スペーサを保持し、前記移動ユニットは、前記保持ユニットを移動する請求項１に記載の収容装置。
【請求項３】
前記移動ユニットは、駆動装置とロッドを含み、前記駆動装置が前記保持ユニットを前記ロッド上で移動させる請求項２に記載の収容装置。
【請求項４】
前記保持ユニットは、少なくとも一つの作動装置と複数の保持素子を含み、前記作動装置が前記保持素子を駆動し、スペーサに対して保持を行う請求項２または３に記載の収容装置。
【請求項５】
前記スペーサ移動モジュールは、制御ユニットを更に含み、前記制御ユニットが前記移動ユニットと前記保持ユニットに接続され、前記制御ユニットは、前記移動ユニットと前記保持ユニットの動作を制御する請求項２〜４のいずれかに記載の収容装置。
【請求項６】
各スペーサは、複数のくさび（ｗｅｄｇｅ）ユニットを含み、前記くさびユニットは、前記スペーサの縁に設置され、前記スペーサが前記くさびユニットによって、解体可能な方式で前記保定装置の上に設置される請求項１〜５のいずれかに記載の収容装置。
【請求項７】
各くさびユニットは、レバー素子と弾性素子を含み、前記レバー素子は、くさび部と保持部を含み、前記レバー素子は、第一方向と前記第二方向との間で回転し、前記レバー素子が前記第一方向の時、前記スペーサ移動モジュールが前記保持素子を押圧し、前記くさび部と前記保定装置を分離させ、前記レバー素子が前記第二方向の時、前記弾性素子が前記保持素子を押圧し、前記くさび部と前記保定装置を結合させる請求項６に記載の収容装置。
【請求項８】
各保定装置は、複数の固定ノッチを含み、前記くさび部が前記固定ノッチに入り、前記保定装置と結合される請求項７に記載の収容装置。
【請求項９】
各スペーサは、延伸板を含み、前記延伸板は、前記スペーサの上にスライド可能な方式で設置することができる請求項１〜８のいずれかに記載の収容装置。
【請求項１０】
前記スペーサ移動モジュールは、前記延伸板に接触し、且つ前記延伸板を前記チャンバーの外に向けて押し出す請求項９に記載の収容装置。
【発明の詳細な説明】
【技術分野】
【０００１】
本発明は、収容装置に関し、特に、収容スペースの大きさを自動調整できる収容装置に関するものである。
【背景技術】
【０００２】
従来の収容装置は、例えば、オフィスのキャビネット、または本棚の収容スペースの大きさは、大抵固定されているため、置きたい物品、または書籍の体積が大き過ぎた場合、しばしばキャビネット、または本棚内に入れることができない。
【０００３】
従来技術でも、収容スペースの大きさを調整できるキャビネット、または本棚があり、主に、手動によって、スペーサの位置を調整して収容スペースの大きさを調整している。しかし、使用者によりスペーサを解体して、固定具から取外さなければならないが、固定具が取外し難いことから、使用者の不便を招く。
【発明の開示】
【発明が解決しようとする課題】
【０００４】
本発明の目的は、収容装置を提供する。
【課題を解決するための手段】
【０００５】
本発明は、従来技術の問題を解決するために、収容装置を提供する。収容装置は、チャンバー、複数のスペーサ、複数の保定装置と、スペーサ移動モジュールを含む。スペーサは、前記チャンバー内に設置され、且つ前記チャンバー内に複数の収容スペースを定義する。保定装置は、前記チャンバー内に設置され、前記スペーサは、解体可能な方式で前記保定装置の上に設置される。スペーサ移動モジュールは、前記チャンバー内に設置され、前記スペーサ移動モジュールは、前記スペーサが前記保定装置上の結合位置を調整移動することによって、前記収容スペースの大きさを調整する。
【発明の効果】
【０００６】
本発明を用いれば、スペーサが自動化された方式で移動されて、収容スペースの大きさを調整することから、従来技術の固定具が取外し難い問題を防ぐことができる。同時に、スペーサが自動化された方式で移動されることから、使用者は、収容装置内の使用可能なスペースを入力インターフェースによって、制御ユニットを操作することで、制御ユニットが自動的に収容スペースの大きさを調整し、使用者の時間を節約し、且つ便利性を高めることができる。
【発明を実施するための最良の形態】
【０００７】
本発明についての目的、特徴、長所が一層明確に理解されるよう、以下に実施形態を例示し、図面を参照にしながら、詳細に説明する。
【０００８】
図１を参照下さい。本発明の収容装置１００を表している。収容装置は、チャンバー１１０、入力インターフェース１０１、複数のスペーサ１２０、複数の保定装置（図に図示しない）と、スペーサ移動モジュール２００を含む。スペーサ１２０は、チャンバー１１０内に設置され、且つチャンバー１１０内に複数の収容スペース１１１を定義する。保定装置は、チャンバー１１０内に設置され、スペーサ１２０は、解体可能な方式で保定装置の上に設置される。スペーサ移動モジュール２００は、チャンバー１１０内に設置される。スペーサ移動モジュール２００は、前記スペーサ１２０が前記保定装置上の結合位置を調整移動することによって、収容スペース１１１の大きさを調整する。
【０００９】
図２を参照下さい。本発明のスペーサ移動モジュール２００の細部構造を表している。スペーサ移動モジュール２００は、移動ユニット２１０と、保持ユニット２２０を含む。保持ユニット２２０は、スペーサを保持するのに用いられ、移動ユニット２１０は、保持ユニット２２０を移動するのに用いられる。移動ユニット２１０は、駆動装置２１１、ロッド２１２と、ロッド２１３を含む。駆動装置２１１は、モーターであり、ロッド２１２は、ネジ棒であり、駆動装置２１１は、ロッド２１２に接続され、ロッドを回転させ、前記保持ユニット２２０を前記ロッド２１２上で移動させる。同時に、前記保持ユニット２２０がロッド２１３に接続され、ロッド２１３は、平滑ロッドであり、保持ユニット２２０の移動経路を制限するのに用いられる。この実施例の駆動装置２１１は、ステッピングモーターであり、保持ユニット２２０の位置をより正確に制御する。
【００１０】
保持ユニット２２０は、複数の作動装置２２１と複数の保持素子２２２を含み、作動装置２２１が保持素子２２２を駆動し、スペーサに対して保持を行う。作動装置２２１は、モーターである。
【００１１】
図３を参照下さい。スペーサ移動モジュールのシステムのブロック図を表している。前記スペーサ移動モジュール２００は、制御ユニット２３０を更に含み、制御ユニット２３０は、入力インターフェース１０１、駆動装置２１１と、作動装置２２１に接続され、使用者が入力インターフェース１０１によって、前記制御ユニット２３０を制御し、制御ユニット２３０は、駆動装置２１１と作動装置２２１の動作を制御する。図２を参照下さい。前記スペーサ移動モジュール２００は、センサー２４１とセンサー２４２を更に含み、センサー２４１とセンサー２４２は、チャンバー内に設置され、且つ制御ユニット２３０に接続され、保持ユニット２２０の位置を検出させ、保持ユニット２２０が異常な衝突の発生を防ぐ。本発明の実施例で、センサー２４１とセンサー２４２は、極限スイッチである。
【００１２】
図４を参照下さい。スペーサ１２０と保定装置１３０の細部構造を表している。各スペーサ１２０は、複数のくさびユニット１４０を含み、前記くさびユニット１４０は、スペーサ１２０の縁に設置され、スペーサ１２０は、前記くさびユニット１４０によって、解体可能な方式で前記保定装置１３０の上に設置される。スペーサ１２０は、延伸板１２１を更に含み、前記スペーサ１２０の表面でスライドすることができる。各保定装置１３０は、複数の固定ノッチ１３１を含み、前記固定ノッチ１３１と前記くさびユニット１４０は、互いに係合され、スペーサ１２０の位置を固定させる。
【００１３】
図５ａと図５ｂを参照下さい。くさびユニット１４０と保定装置１３０の分離状況を表している。図５ｃを参照下さい。図５ｂのＡ部分の拡大図であり、保持素子２２２は、くさびユニット１４０を押圧する。くさびユニット１４０は、レバー素子１４１と弾性素子１４２を含む。レバー素子１４１は、くさび部１４４と保持部１４３を含む。この時、保持素子２２２は、保持部１４３を押圧し、レバー素子１４１を第一方向に位置させ、くさび部１４４と保定装置１３０を分離させることによって、スペーサ１２０を自由に移動できる。
【００１４】
図６ａと図６ｂを参照下さい。くさびユニット１４０が保定装置１３０と接続する状況を表している。図６ｃを参照下さい。図６ｂのＢ部分の拡大図であり、この時、保持素子２２２は、保持部１４３に接触されておらず、弾性素子１４２が前記保持部１４３を押し出して、レバー素子１４１を第二方向に位置させ、くさび部１４４が保定装置１３０の固定ノッチに入り、保定装置１３０の上に固定する。
【００１５】
上述の実施例で、弾性素子１４２は、スプリングであり、前記レバー素子１４０が前記第一方向と前記第二方向との間を回転することにより、スペーサ１２０が解体可能な方式で保定装置１３０を接続できる。スペーサ移動モジュール２００によって、スペーサ１２０を移動と、固定でき、収容スペースの大きさを自動化調整できる。
【００１６】
図７を参照下さい。保持素子が延伸板１２１を押圧する状況を表している。延伸板１２１が前記スペーサ１２０の表面をスライドでき、使用者が前記スペーサ１２０より物品を取出す時、制御ユニットが保持ユニット２２０の位置を調整でき、保持ユニット２２０の高さが前記延伸板１２１に対応される。この時、延伸板１２１後方の作動装置２２１’が保持素子２２２’の動作を駆動し、延伸板１２１を前に向けて（チャンバーの開き口の方向）に押出し、使用者がスペーサ１２０（延伸板１２１）上の物品を便利に取出させる。物品を取出した後、使用者が延伸板１２１をチャンバー内に押戻す。
【００１７】
本発明を用いれば、スペーサが自動化された方式で移動されて、収容スペースの大きさを調整することから、従来技術の固定具が取外し難い問題を防ぐことができる。同時に、スペーサが自動化された方式で移動されることから、使用者は、収容装置内の使用可能なスペースを入力インターフェースによって、制御ユニットを操作することで、制御ユニットが自動的に収容スペースの大きさを調整し、使用者の時間を節約し、且つ便利性を高めることができる。
【００１８】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００１９】
【図１】本発明の収容装置を表している。
【図２】スペーサ移動モジュールの細部構造を表している。
【図３】スペーサ移動モジュールのシステムのブロック図を表している。
【図４】スペーサと保定装置の細部構造を表している。
【図５ａ】くさびユニットと保定装置の分離状況を表している。
【図５ｂ】くさびユニットと保定装置の分離状況を表している。
【図５ｃ】図５ｂのＡ部分の拡大図を表している。
【図６ａ】くさびユニットと保定装置の接続状況を表している。
【図６ｂ】くさびユニットと保定装置の接続状況を表している。
【図６ｃ】図６ｂのＢ部分の拡大図を表している。
【図７】保持素子が延伸板１２１を押圧する状況を表している。
【符号の説明】
【００２０】
１００  収容装置
１０１  入力インターフェース
１１０  チャンバー
１１１  収容スペース
１２０  スペーサ
１２１  延伸板
１３０  保定装置
１３１  固定ノッチ
１４０  くさびユニット
１４１  レバー素子
１４２  弾性素子
１４３  保持部
１４４  くさび部
２００  スペーサ移動モジュール
２１０  移動ユニット
２１１  駆動装置
２１２  ロッド
２１３  ロッド
２２０  保持ユニット
２２１、２２１’  作動装置
２２２、２２２’  保持素子
２３０  制御ユニット
２４１  センサー
２４２  センサー
【図１】
2009066393.tif 000003
【図２】
2009066393.tif 000004
【図３】
2009066393.tif 000005
【図４】
2009066393.tif 000006
【図５ａ】
2009066393.tif 000007
【図５ｂ】
2009066393.tif 000008
【図５ｃ】
2009066393.tif 000009
【図６ａ】
2009066393.tif 000010
【図６ｂ】
2009066393.tif 000011
【図６ｃ】
2009066393.tif 000012
【図７】
2009066393.tif 000013